(57)【要約】【課題】  ウォータバッグ入りマットレスと同等な蓐瘡予防効果が得られ、ウォータバッグ入りマットレスに較べて軽量化が図られると同時に、体のホールド性がよくて安定した状態で使用できるマットレスを提供する。【解決手段】  発泡クッション材からなるマットレス本体２のうち、人体の背中部分と腰部部分を受ける箇所２ｂに収容空間部４を形成し、この収容空間部４内にエア・クッション材収納バッグ３を収容するようにする。また、マットレス本体２を、人体の頭部部分をうける箇所２ａと、背中・腰部部分を受ける箇所２ｂと、脚部部分を受ける箇所２ｃとのそれぞれの接合部６で三つ折り可能にする。【選択図】      図３
2006043082.tif 000002
【特許請求の範囲】
【請求項１】
発泡クッション材からなるマットレス本体と、クッション材が空気と共に密封バッグ内に収納されるエア・クッション材収納バッグとを備えたマットレスであって、前記マットレス本体の少なくとも背中・腰部部分を受ける箇所に収容空間部が形成され、前記エア・クッション材収納バッグは、この収容空間部内に収容されることを特徴とするエア・クッション材入りマットレス。
【請求項２】
前記マットレス本体は、人体の頭部部分を受ける箇所と、背中・腰部部分を受ける箇所と、脚部部分を受ける箇所に分割されて、それぞれの接合部で三つ折り可能とされることを特徴とする請求項１に記載のエア・クッション材入りマットレス。
【発明の詳細な説明】
【技術分野】
【０００１】
本発明は、例えば寝たきり者等にとって蓐瘡予防に効果的なエア・クッション材収納バッグが少なくとも人体の背中と腰部部分を受ける箇所に設けられるエア・クッション材入りマットレスに関する。
【背景技術】
【０００２】
従来、特に身体の行動に不自由な寝たきり者等にとって蓐瘡が問題となり、ウォータマット等は体圧分散性に優れているため蓐瘡予防に効果的であるが、ウォータマットは重量が非常に重く、一人の人間が運搬するのは極めて困難であった。そこで、ウォータバッグと同じように蓐瘡予防効果を有するエアバッグを用いることが考えられるが、従来エアバッグを用いたベッドマットとして、例えば、人体の頭部を支持する頭部空気袋と、腰部を支持する腰部空気袋と、脚部を支持する足部空気袋を設け、ベッドマットの長手方向の一端側の空間部に調整部材を挿入し、その枚数を変えることにより、その人の身長に応じた位置に腰部空気袋を位置させるようにした技術（例えば、特許文献１参照。）や、ソファー兼用ベッドとして、ヒンジ機構で連結される座部フレームと背部フレームに第１、第２のエアマットを設け、これらエアマットの上部に硬さ調整板を設けるような技術（例えば、特許文献２参照。）などが知られている。
【０００３】
【特許文献１】特開２０００−２３７９４号公報
【特許文献２】実開平１−１２４１５２号公報
【発明の開示】
【発明が解決しようとする課題】
【０００４】
ところで、エアバッグを使用したベッドマットは、軽量化が図られるという利点を有するものの、水よりも比重が軽く、身体を保持するホールド性に欠けるため、例えば寝返りをうったときなど、当分の間、体が不安定となり寝心地性がよくないものである。
このため、上記特許文献２のように、エアマットの上面に硬さ調整板を設ければ、体の不安定性は改善されるものの、蓐瘡予防効果が得られないという問題があった。
【０００５】
そこで本発明は、蓐瘡予防効果としてウォータバッグ入りマットレスと同等な効果が得られ、且つウォータバッグ入りマットレスに較べて軽量化が図られ、しかも体のホールド性がよくて安定した状態で使用することのできるマットレスを提供することを目的とする。
【課題を解決するための手段】
【０００６】
上記目的を達成するため本発明は、発泡クッション材からなるマットレス本体と、クッション材が空気と共に密封バッグ内に収納されるエア・クッション材収納バッグとを備えたマットレスを構成するようにし、マットレス本体の少なくとも背中・腰部部分を受ける箇所に収容空間部を形成し、前記エア・クッション材収納バッグを、この収容空間部内に収容するようにした。
【０００７】
ここで、人体の腰部部分と背中部分は、特に寝たきり者等にとって蓐瘡が生じ易い箇所であるため、この部分をエア・クッション材収納バッグによって支持するようにすれば、エアによる体圧分散性と、クッション材による人体ホールド性の相乗効果によって、ウォータバッグと同等な蓐瘡予防効果や寝心地性を得ることができる。
ここで、エア・クッション材収納バッグ内に収納されるクッション材としては、例えばポリウレタンフォーム等の発泡樹脂のほか、綿やパンヤ等の人体ホールド性のある材料が適用可能である。
【０００８】
また本発明では、前記マットレス本体を、人体の頭部部分を受ける箇所と、背中・腰部部分を受ける箇所と、脚部部分を受ける箇所に分割して、それぞれの接合部で三つ折り可能にした。
こうすることにより、例えば、マットレスを運搬するときは、三つ折りして運搬するようにすればマットレスのサイズが小型化され持ち運び易くなる。この際、エア・クッション材収納バッグを収容する収容空間部で折り畳もうとすると、収納バッグが存在するため綺麗に折り畳むことが出来ず、またバッグに無理がきて破損等を起こし易くなる。
【発明の効果】
【０００９】
少なくとも人体の背中部分と腰部部分を受ける箇所に収容空間部を形成し、この収容空間部内にエア・クッション材収納バッグを収容すれば、ウォータバッグを使用する場合と同程度の体圧分散性が得られて蓐瘡予防に効果的であるとともに、単なるエアバッグに較べて人体のホールド性が良好となり、姿勢を変換したときなどの安定性を高めることができ、しかもウォータバッグ入りマットレスに較べて重量を極めて軽量にすることができる。また、折り畳みが可能であり、運搬時にサイズを小型化して取扱いを容易にすることができる。
【発明を実施するための最良の形態】
【００１０】
本発明の実施の形態について添付した図面に基づき説明する。
ここで図１は外装カバーを被せた状態のマットレスの全体図、図２は同マットレスを折り畳んだ状態図、図３は図１のＡ−Ａ線断面図、図４はマットレス本体からエア・クッション材収納バッグを取出した状態の説明図、図５はエア・クッション材収納バッグの説明図である。
【００１１】
本発明に係るエア・クッション材入りマットレスは、蓐瘡予防効果としてウォータバッグ入りマットレスと同等な効果が得られ、且つウォータバッグ入りマットレスに較べて軽量化が図られ、しかも身体のホールド性がよくて安定した状態で使用することのできるマットレスとして構成されている。
【００１２】
すなわち、図４に示すように、本エア・クッション材入りマットレス１は、人体の頭部部分を受ける箇所２ａ、背中部分と腰部部分を受ける箇所２ｂ、脚部部分を受ける箇所２ｃに三分割されるマットレス本体２と、このマットレス本体２のうち、背中部分と腰部部分を受ける箇所２ｂに形成される収容空間部４内に収容可能なエア・クッション材収納バッグ３を備えており、マットレス本体２の外側を図１に示すような外装カバー５で覆い、収容空間部４と収容空間部以外の領域との前後の境界線部付近（具体的には、頭部受け箇所２ａと背中・腰部受け箇所２ｂとの接合部６、及び背中・腰部受け箇所２ｂと脚部受け箇所２ｃとの接合部６）で折り畳みできるようにされている。また、マットレス本体２は、少なくとも背中・腰部部分を受ける箇所に収容空間部４が形成され、該エア・クッション材収納バッグ３がその収容空間部４内に収容されているものであれば、折り畳み可能に分割されていなくてもよい。
【００１３】
そして、人体の頭部部分を受ける箇所２ａや脚部部分を受ける箇所２ｃについては、本実施例では、下層、中層、上層の三層構造とし、下層に強度に優れた軟質ポリウレタンフォームを使用し、中層に軟質ポリウレタンフォームを使用し、上層に低反発弾性ポリウレタンフォームを使用している。
また、人体の背中部分と腰部部分を受ける箇所２ｂについては、図３に示すように、収容空間部４より下方の下層部７が強度に優れた軟質ポリウレタンフォームとされている。ここでいう強度に優れた軟質ポリウレタンフォームとは、本発明のマットレスを使用した際、エア・クッション材収納バッグ３が沈みすぎてマットレスとして段差ができるのを防止することができるものである。また、上方の上層部８が上部の低反発弾性ポリウレタンフォームとその下部の軟質ポリウレタンフォームの二層構造とされている。
【００１４】
そして、人体の背中部分と腰部部分を受ける箇所２ｂの下層部７と上層部８の中間部には、収容空間部４の周囲を取り囲むようにポリウレタンフォーム製の枠層９が設けられており、下層部７と上層部８は、枠層９に対して一方側の側面の一辺を除いて、残り三辺が接着されており、接着されていない側面部分から、以下に述べるエア・クッション材収納バッグ３の出し入れを行うようにしている。
【００１５】
前記エア・クッション材収納バッグ３は、図５に示すように、人体の背中部分を支持する第１バッグ６と人体の腰部を支持する第２バッグ７とが一体化されており、各バッグ６、７内には局部的な膨張や底付きを防止するための吊り布８が複数本設けられるとともに、吊り布８により仕切られた空間には、軟質ポリウレタンフォーム製のクッション材９が収納されている。
なお、吊り布８の延出方向は、幅方向（横方向）でも長さ方向（縦方向）でもよい。
【００１６】
そして、第１バッグ６と第２バッグ７は気密性の素材から形成され、周縁部が封止されて密封状にされるとともに、給排気するためのバルブ１０が設けられており、各バッグ６、７内にはクッション材９のみならず空気も一緒に封入されてバルブ１０が封鎖されており、各バッグ６、７の内部圧力を１atmとしている。
【００１７】
ここで、前記エア・クッション材収納バッグ３の内部圧力が１atmの場合、クッション材９と空気の割合は、バッグ内の総容積を１００とした場合に、クッション材９全体の容積が、総容積の３９〜９０％、より好ましくは、７０〜８０％になるようにし、残りの６１〜１０％、より好ましくは、３０〜２０％が空気となるようにしている。
そして、かかる容積割合にすることで、体圧分散性や人体ホールド性を向上させることができ、蓐瘡予防が効果的に図られるとともに、体を動かしたときの不安定さが解消される。
なお、各バッグ６、７のクッション材の量や内部圧力を、本発明の目的を達成する範囲で変更することができる。
【００１８】
上記のようなエア・クッション材収納バッグ３が、図４に示すようなマットレス本体２の収容空間部４に収容されると、周囲が外装カバー５で覆われてマットレス１が構成される。
因みに、本実施例におけるマットレス１の寸法は、縦１９１ｃｍ、横８３ｃｍ、厚み８ｃｍで、総重量は４．５ｋｇ程度である。
【００１９】
以上のようなマットレス１において、マットレス１を使用する際は、特に寝たきり者などにとって人体の背中部分や腰部部分のような蓐瘡が起きやすい箇所がエア・クッション材収納バッグ３によって支持されるため、蓐瘡予防に効果的であり、また、クッション材９の存在により、寝返り等をうった場合でも身体のホールド性が向上し、不安定な状況が続くような不具合がない。
【００２０】
また、マットレス１を運搬する際は、図２に示すように人体の頭部部分を受ける箇所２ａと、背中・腰部部分を受ける箇所２ｂと、脚部部分を受ける箇所２ｃとのそれぞれの接合部６で三つ折り可能なため、サイズが小さくなり、しかも軽量であるため一人でも楽に運搬することができる。
【００２１】
なお、以上の実施例では、マットレス１を通常のベッドに使用する例を説明したが、一部を起き上がらせることのできるギャッジベッドに適用することも可能である。この際、エア・クッション材収納バッグ３の適当な位置に仕切りを設けることにより、上半身を起き上がらせた場合でも人体が滑り落ちようとするのを防止することができる。
【００２２】
なお、本発明は以上のような実施形態に限定されるものではない。本発明の特許請求の範囲に記載した事項と実質的に同一の構成を有し、同一の作用効果を奏するものは本発明の技術的範囲に属する。
【産業上の利用可能性】
【００２３】
寝たきり者等にとって、特に蓐瘡がおきやすい背中部分と腰部部分を受ける箇所にエア・クッション収納バッグを使用するようにしたため、ウォータマットと同程度の蓐瘡予防効果があり、しかも寝心地性も良好なマットレスを極めて軽量に構成できる。また、折り畳みが可能なため、小さなサイズに容易に変換でき、一人でも容易に運搬することができる。
【図面の簡単な説明】
【００２４】
【図１】外装カバーを被せた状態のマットレスの全体図
【図２】同マットレスを折り畳んだ状態図
【図３】図１のＡ−Ａ線断面図
【図４】マットレス本体からエア・クッション材収納バッグを取出した状態の説明図
【図５】エア・クッション材収納バッグの説明図で、（ａ）は平面図、（ｂ）は側方からみた断面図
【符号の説明】
【００２５】
１…エア・クッション材入りマットレス、２…マットレス本体、３…エア・クッション材収納バッグ、４…収容空間部、６…接合部、９…クッション材。
【図１】
2006043082.tif 000003
【図２】
2006043082.tif 000004
【図３】
2006043082.tif 000005
【図４】
2006043082.tif 000006
【図５】
2006043082.tif 000007